(57)【要約】【課題】本発明は、音声ガイダンス装置が提供する解説と動態展示物の現在の状態とを一致させることができる音声ガイダンスシステム及びその方法を提供することを目的とする。【解決手段】本発明の音声ガイダンスシステムは、メモリと、受信モジュールと、ファイル獲得モジュールと、及び執行モジュールとを、備え、メモリ内には、複数の音声データと、コードと、動態展示物の展示進度と、及び音声データの放送時間点における対応関係が保存されている。ファイル獲得モジュールは、信号の中にコードが含まれる際、音声データを確定し、且つメモリから、この確定した音声データを獲得することに用いられる。執行モジュールは、信号の中に動態展示物の展示進度が含まれる際、動態展示物の展示時間進度に対応する音声データの放送時間点を確定し、且つ音声放送ユニットを制御して、音声データの放送時間点で獲取した音声データを放送する。【選択図】図１
2013186476.tif 000002
【特許請求の範囲】
【請求項１】
音声ガイダンスシステムにおいて、メモリと、受信モジュールと、ファイル獲得モジュールと、及び執行モジュールとを、備え、前記メモリ内には、複数の音声データと、コードと、動態展示物の展示進度と、及び音声データの放送時間点における対応関係とが保存され、前記コードは、展示位置／観光地を表示することに用いられ、
前記受信モジュールは、前記展示位置／観光地が送信した信号を獲取することに用いられ、
前記ファイル獲得モジュールは、信号の中にコードが含まれる際、前記メモリ内に保存されたコードと、動態展示物の展示進度と、及び音声データの放送時間点との対応関係によって、前記受信モジュールに獲取された前記コードに対応する前記音声データを確定し、且つ前記メモリから、この確定された前記音声データを獲得することに用いられ、
前記執行モジュールは、信号の中に動態展示物の展示進度が含まれる際、前記メモリ内に保存されたコードと、動態展示物の展示進度と、及び音声データの放送時間点との対応関係によって、動態展示物の展示時間進度に対応する音声データの放送時間点を確定し、且つ音声放送ユニットを制御して、この確定された前記音声データの放送時間点で獲取した音声データを放送することに用いられることを特徴とする音声ガイダンスシステム。
【請求項２】
前記メモリ内には、コードと、静止している展示物の音声データとの対応関係が保存され、前記ファイル獲得モジュールは、前記メモリ内に保存されたコードと、静止している展示物の音声データとの対応関係によって、前記受信モジュールが獲取したコードに対応する音声データを確定し、且つ前記メモリから、この確定された音声データを獲得し、前記執行モジュールは、信号の中にコードが含まれる際、前記音声放送ユニットを制御して、獲得された音声データを放送することを特徴とする請求項１に記載の音声ガイダンスシステム。
【請求項３】
前記メモリには、音声データに対応する映像データが保存され、前記ファイル獲得モジュールが前記メモリから、前記確定された音声データを獲得した際、前記音声データに対応する映像データを獲得し、前記執行モジュールは、前記音声放送ユニットを制御して、獲取された音声データを放送すると同時に、画像ユニットを制御して、映像データと音声データとを同時に放送させることを特徴とする請求項１に記載の音声ガイダンスシステム。
【請求項４】
音声ガイダンスシステムに用いられ、前記音声ガイダンスシステムは、メモリを備え、前記メモリ内には、複数の音声データと、コードと、動態展示物の展示進度と、及び音声データの放送時間点における対応関係とが保存され、前記コードは、展示位置／観光地を表示することに用いられる音声ガイダンス方法において、
展示位置／観光地が送信された信号を獲取し、
信号の中にコードが含まれる際、メモリに保存されたコードと、動態展示物の展示進度と、及び音声データの放送時間点との対応関係によって、前記メモリから、前記確定された音声データを獲得し、及び
信号の中に動態展示物の展示時間進度が含まれる際、前記メモリ内に保存された動態展示物の展示時間進度と、音声データの放送時間点との対応関係によって、動態展示物の展示時間進度に対応する音声データの放送時間点を確定し、且つ音声放送ユニットを制御して、この確定された音声データの放送時間点から獲取された音声データを放送することを特徴とする音声ガイダンス方法。
【請求項５】
前記メモリ内には、コードと、静止している展示物の音声データとの対応関係が保存され、前記音声ガイダンス方法は、前記メモリ内に保存されたコードと、静止している展示物の音声データとの対応関係によって、前記受信モジュールが獲取したコードに対応する音声データを確定し、信号の中にコードが含まれる際、音声放送ユニットを制御して、音声データを獲得することを特徴とする請求項４に記載の音声ガイダンス方法。
【請求項６】
前記メモリ内には、音声データに対応する映像データが保存され、前記音声ガイダンス方法は、前記確定された音声データを獲得した際、前記メモリから、この確定された音声データに対応する映像データを獲得し、
前記音声放送ユニットを制御して、獲取された音声データを放送する際、画像ユニットを制御して、映像データと音声データとを同時に放送させることを特徴とする請求項４に記載の音声ガイダンス方法。
【発明の詳細な説明】
【技術分野】
【０００１】
本発明は、音声ガイダンスシステム及びその方法、特に動態展示物における音声ガイダンスシステム及びその方法に関するものである。
【背景技術】
【０００２】
現在、観光地、博物館、展示会、博覧会等において、一般的には、音声ガイダンス装置を利用して、展示品に対して、自動的に解説が聞けるようになっている。従来の音声ガイダンス装置は、使用者が会場或いは観光地に入った後、ボタンを押せば、直ちに解説が始まる。しかし、展示品或いは観光地が動態である場合、使用者は、音声ガイダンス装置が提供する解説と、現在見ている動態展示物の状態を、一致させることは困難なため、不便である。
【発明の概要】
【発明が解決しようとする課題】
【０００３】
以上の問題点に鑑みて、本発明は、音声ガイダンス装置が提供する解説と動態展示物の現在の状態とを一致させることができる音声ガイダンスシステム及びその方法を提供することを目的とする。
【課題を解決するための手段】
【０００４】
上記の課題を解決するために、本発明の音声ガイダンスシステムは、メモリと、受信モジュールと、ファイル獲得モジュールと、及び執行モジュールとを、備える。前記メモリ内には、複数の音声データと、コードと、動態展示物の展示進度と、及び音声データの放送時間点における対応関係とが保存され、前記コードは、展示位置／観光地を表示することに用いられ、前記受信モジュールは、前記展示位置／観光地が送信した信号を獲取することに用いられ、前記ファイル獲得モジュールは、信号の中にコードが含まれる際、前記メモリ内に保存されたコードと、動態展示物の展示進度と、及び音声データの放送時間点との対応関係によって、前記受信モジュールに獲取された前記コードに対応する前記音声データを確定し、且つ前記メモリから、この確定された前記音声データを獲得することに用いられ、前記執行モジュールは、信号の中に動態展示物の展示進度が含まれる際、前記メモリ内に保存されたコードと、動態展示物の展示進度と、及び音声データの放送時間点との対応関係によって、動態展示物の展示時間進度に対応する音声データの放送時間点を確定し、且つ音声放送ユニットを制御して、この確定された前記音声データの放送時間点で獲取した音声データを放送することに用いられる。
【０００５】
上記の課題を解決するために、本発明の音声ガイダンス方法は、音声ガイダンスシステムに用いられ、前記音声ガイダンスシステムは、メモリを備える。前記メモリ内には、複数の音声データと、コードと、動態展示物の展示進度と、及び音声データの放送時間点における対応関係とが保存され、前記コードは、展示位置／観光地を表示することに用いられる音声ガイダンス方法において、展示位置／観光地が送信された信号を獲取し、信号の中にコードが含まれる際、メモリに保存されたコードと、動態展示物の展示進度と、及び音声データの放送時間点との対応関係によって、前記メモリから、前記確定された音声データを獲得し、また、信号の中に動態展示物の展示時間進度が含まれる際、前記メモリ内に保存された動態展示物の展示時間進度と、音声データの放送時間点との対応関係によって、動態展示物の展示時間進度に対応する音声データの放送時間点を確定し、且つ音声放送ユニットを制御して、この確定された音声データの放送時間点から獲取された音声データを放送する。
【発明の効果】
【０００６】
本発明の音声ガイダンスシステムは、受信モジュールが、前記展示位置／観光地が送信した信号を獲取し、ファイル獲得モジュールが、信号の中にコードが含まれる際、前記コードに対応する音声データを獲得し、執行モジュールが、信号の中に動態展示物の展示進度が含まれる際、動態展示物の展示時間進度に対応する音声データの放送時間点を確定し、且つ音声放送ユニットを制御して、この確定された前記音声データの放送時間点で獲取するので、音声ガイダンス装置が提供する解説と動態展示物の現在の状態とを一致させることができる。
【図面の簡単な説明】
【０００７】
【図１】本発明に係る音声ガイダンスシステムのブロック図である。
【図２】本発明に係る音声ガイダンス方法の流れ図である。
【発明を実施するための形態】
【０００８】
以下、図面に基づいて、本発明に係る音声ガイダンスシステム及びその方法について詳細に説明する。
【０００９】
図１に示したように、本発明に係る音声ガイダンスシステム１０は、音声ガイダンス装置１に用いられる。音声ガイダンス装置１は、音声放送ユニット２に接続され、且つ使用者に携帯される。音声ガイダンス装置１は、展示位置／観光地３からの信号を受信し、この受信された信号は、音声放送ユニット２を制御して、展示位置／観光地３に展示してある展示品に対する解説を行うことに用いられる。使用者が展示位置の範囲にいる限り、展示位置／観光地３は、それぞれ自動的に少なくとも一つのコード信号を、音声ガイダンス装置１に送信する。このコードは、展示位置／観光地３を表示することに用いられる。
【００１０】
展示位置／観光地３に展示してある展示品が静止している展示品である場合、展示位置／観光地３は、コードのみを、音声ガイダンス装置１に送信する。展示位置／観光地３に展示してある展示品が動態展示物である場合、展示位置／観光地３は、コード及び動態展示物の展示進度の信号を、音声ガイダンス装置１に送信する。ここで、動態展示物の展示進度とは、動態展示物の現在における状態のことであり、例えば、現在、使用者の目の前に展示されているのは、清明上河図における小さい橋が描かれている部分（つまり、左から３．２メートルの部分）である。展示位置／観光地３に展示してある展示品が動態展示物である場合、音声ガイダンス装置１に送信された信号は、一回或いは複数回によって送信され、例えば、展示位置／観光地３がコードを音声ガイダンス装置１に送信し、音声ガイダンス装置１は、受信したコードによって、その対応する展示物が動態であるかどうかを判断する。この時、展示物が動態の展示物である場合、展示位置／観光地３へ信号を送信し、展示位置／観光地３は受信した信号によって、動態展示物の展示進度の信号を音声ガイダンス装置１に送信する。或るいは、展示位置／観光地３に展示してある展示品が動態展示物と確認されると同時に、コード及び動態展示物の展示進度の信号を、音声ガイダンス装置１に送信する。
【００１１】
音声ガイダンス装置１は、処理装置２０及びメモリ３０を備える。音声ガイダンスシステム１０は、受信モジュール１０１と、ファイル獲得モジュール１０２と、及び執行モジュール１０３と、を備える。本発明のモジュールは、音声ガイダンス装置１の処理装置２０によって執行される。また、該モジュールは、特定機能を完成するためのパソコンのプログラムであり、音声ガイダンス装置１のメモリ３０内に保存される。メモリ３０には、複数の音声データが保存されている。メモリ３０は、コードと、動態展示物の展示進度と、及び音声データの放送時間点における対応関係が保存されており、例えば展示物のコードが５の場合、対応する動態展示物の展示進度は、前記清明上河図における小さい橋が描かれている部分であり、対応する音声データ８の放送時間点は１２分６秒である。
【００１２】
受信モジュール１０１は、展示位置／観光地３が送信した信号を獲取することに用いられる。
【００１３】
ファイル獲得モジュール１０２は、信号の中にコードが含まれる際、メモリ３０に保存されたコードと、動態展示物の展示進度と、及び音声データの放送時間点との対応関係によって、受信モジュール１０１に獲取されたコードに対応する音声データを確定し、且つメモリ３０から、この確定された音声データを獲得することに用いられる。
【００１４】
執行モジュール１０３は、信号の中に動態展示物の展示進度が含まれる際、前記メモリ３０に保存されたコードと、動態展示物の展示進度と、及び音声データの放送時間点との対応関係によって、動態展示物の展示時間進度に対応する音声データの放送時間点を確定し、且つ音声放送ユニット２を制御して、この確定された音声データの放送時間点で獲取した音声データを放送することに用いられる。
【００１５】
本発明の実施形態において、メモリ３０内には、コードと、静止している展示物の音声データとの対応関係が保存され、ファイル獲得モジュール１０２は、メモリ３０内に保存されたコードと、静止している展示物の音声データとの対応関係によって、受信モジュール１０１が獲取したコードに対応する音声データを確定し、且つメモリ３０から、この確定された音声データを獲得する。執行モジュール１０３は、信号の中にコードが含まれる際、音声放送ユニット２を制御して、獲得された音声データを放送する。
【００１６】
本発明の実施形態において、メモリ３０には、さらに、音声データに対応する映像データが保存される。また、音声ガイダンス装置１は、画像ユニット４に接続される。ファイル獲得モジュール１０２が、メモリ３０から、確定された音声データを獲得した際、音声データに対応する映像データを獲得し、執行モジュール１０３は、音声放送ユニット２を制御して、獲取された音声データを放送すると同時に、画像ユニット４を制御して、映像データと音声データとを同時に放送する。
【００１７】
図２に示したように、本発明に係る音声ガイダンス方法は、以下のステップを備える。ステップＳ２０１において、受信モジュール１０１は、展示位置／観光地３が送信した信号を獲取する。ステップＳ２０２において、前記信号の中にコードが含まれる際、ファイル獲得モジュール１０２は、メモリ３０内に保存されたコードと、動態展示物の展示進度と、及び音声データの放送時間点との対応関係によって、受信モジュール１０１が獲取したコードに対応する音声データを確定し、且つメモリ３０から、この確定された音声データを獲得する。ステップＳ２０３において、信号の中に動態展示物の展示時間進度が含まれる際、執行モジュール１０３は、メモリ３０内に保存された動態展示物の展示時間進度と、音声データの放送時間点との対応関係によって、動態展示物の展示時間進度に対応する音声データの放送時間点を確定し、且つ音声放送ユニット２を制御して、この確定された音声データの放送時間点から獲取された音声データを放送する。
【００１８】
本発明の実施形態において、音声ガイダンス方法のメモリ３０には、コードと、静止している展示物の音声データとの対応関係が保存され、ファイル獲得モジュール１０２は、メモリ３０内に保存されたコードと、静止している展示物の音声データとの対応関係によって、受信モジュール１０１が獲取したコードに対応する音声データを確定し、且つメモリ３０から、この確定された音声データを獲得する。執行モジュール１０３は、信号の中にコードが含まれる際、音声放送ユニット２を制御して、獲得された静止している展示物の音声データを放送する。
【００１９】
本発明の実施形態において、音声ガイダンス方法のファイル獲得モジュール１０２は、確定された音声データを獲得した際、メモリ３０から、この確定された音声データに対応する映像データを獲得する。また、執行モジュール１０３は、音声放送ユニット２を制御して、獲取された音声データを放送する際、画像ユニット４を制御して、映像データと音声データとを同時に放送する。
【符号の説明】
【００２０】
１      音声ガイダンス装置
１０    音声ガイダンスシステム
１０１  受信モジュール
１０２  ファイル獲得モジュール
１０３  執行モジュール
２      音声放送ユニット
２０    処理装置
３      展示位置／観光地
３０    メモリ
４      画像ユニット
【図１】
2013186476.tif 000003
【図２】
2013186476.tif 000004